(57)【要約】      （修正有）【課題】アンダーシンク型浄水器を引き出しタイプの流し台の収納キャビネット内に設置する際に収納キャビネットの化粧板を回避して濾過カートリッジの取り付け・取り外しが可能な取付構造を提供する。【解決手段】流し台の収納キャビネットの側板の内面には取付部材１０が固定され、取付部材には一対の孔部１７が形成されている。この各孔部は、上下方向の長孔１８の上端側に連通形成された細孔２０と、長孔の下端側に連通形成された丸孔とを有している。アンダーシンク型浄水器１５は、濾過カートリッジ２０を収容するケース２１を備え、ケースには孔部に係入する一対の係合ピン２５が固定されている。この係合ピン２５を丸孔に挿通した後に長孔を通じて細孔に係止させて濾過カートリッジを収納キャビネットのデットスペースに配置する。【選択図】図２
2015085223.tif 000002
【特許請求の範囲】
【請求項１】
流し台の下部を構成する収納キャビネットにアンダーシンク型浄水器を取り付ける取付構造であって、
収納キャビネットの内面には前記浄水器の濾過体を取り付ける取付部材が設けられている一方、前記濾過体は前記取付部材の上下方向に形成された孔部に係止する係止部を備え、
前記係止部を前記孔部の下端側から挿通して上端側に係止させて濾過体を収納キャビネットに着脱自在に取り付ける
ことを特徴とするアンダーシンク型浄水器の取付構造。
【請求項２】
前記取付部材には複数の前記孔部が形成されている一方、
前記濾過体は濾過カートリッジの外周に複数の前記係止部を設けて構成されている
ことを特徴とする請求項１記載のアンダーシンク型浄水器の取付構造。
【請求項３】
前記取付部材には複数の前記孔部が形成されている一方、
前記濾過体は濾過カートリッジをケース内に着脱自在に収容して構成され、
前記ケースの外周に複数の前記係止部を設けたことを特徴とする請求項１記載のアンダーシンク型浄水器の取付構造。
【請求項４】
前記濾過カートリッジには、前記濾過カートリッジには水道配管の原水を導入する管と、濾過された浄水を導出する管とが連結され、
前記ケースは筒状に形成されているとともに、一方の端部に前記両管を案内する回転自在のロールが設けられている
ことを特徴とする請求項３記載のアンダーシンク型浄水器の取付構造。
【請求項５】
前記ケースの前記ロールと反対側の端部に前記濾過カートリッジを規制するストッパを設けた
ことを特徴とする請求項４記載のアンダーシンク型浄水器の取付構造。
【請求項６】
前記孔部は、上下方向に形成された長孔と、
該長孔の上端側から左右方向のいずれか一方向に連通形成されて前記係止部が係止する係止孔と、
前記長孔の下端側から左右方向のいずれか一方向に連通形成されて前記係止部が挿通される挿通孔と、
を有することを特徴とする請求項１〜５のいずれか１項に記載のアンダーシンク型浄水器の取り付け構造。
【発明の詳細な説明】
【技術分野】
【０００１】
本発明は、流し台の下部の収納キャビネット内にアンダーシンク型浄水器を取り付ける取付構造に関する。
【背景技術】
【０００２】
近年、収納キャビネットを引き出しタイプに構成した流し台が人気を集めている。この引き出しタイプの収納キャビネットにアンダーシンク型浄水器を取り付ける取付構造としては特許文献１，２が公知となっている。
【０００３】
特許文献１では、浄水器を収納キャビネットの奥（収納キャビネットの後板と引き出しとの間）に配置し、濾過カートリッジの交換時には引き出しと連動させて浄水器を取り出している。
【０００４】
特許文献２は、浄水器を収納キャビネット内のシンク脇のデットスペース、即ち収納キャビネット内におけるシンクと側板との間の空間に配置されている。ここでは濾過カートリッジは半円筒状のトレー内に収容され、吊り下げ用バンドを介して天板下面の固定金具に吊り下げられている。
【先行技術文献】
【特許文献】
【０００５】
【特許文献１】特開２００６−１２２８９９
【特許文献２】特開２００６−１６９７８４
【発明の概要】
【発明が解決しようとする課題】
【０００６】
しかしながら、特許文献１，２はアンダーシンク型浄水器を引き出しタイプの流し台に取り付けているものの、次の問題があった。
【０００７】
すなわち、特許文献１によれば、浄水器を収納キャビネットの後板と引き出しとの間に配置するため、引き出しを収納キャビネットの奥行よりも短くしなければならず、収納スペースが狭くなるおそれがある。
【０００８】
そこで、特許文献２のように、前記デットスペースにアンダーシンク型浄水器を取り付ける取付構造が提案されているが、濾過カートリッジを取り付けるためには吊り下げ用バンドをボルトとナットを用いて天板の固定金具に固定しなければならない。
【０００９】
ところが、収納キャビネットはシンクの部位に応じた正面位置に化粧板（当て板）が設けられているため、吊り下げ用バンドの固定金具への固定は容易ではなく、濾過カートリッジの取付作業が困難な場合がある。
【００１０】
特に濾過カートリッジの交換時には吊り下げ用バンドの固定金具への固定を解除して濾過カートリッジを取り外し、交換された濾過カートリッジを取り付けなければならず、作業の困難性が増加するおそれがある。
【００１１】
本発明は、アンダーシンク型浄水器を引き出しタイプの流し台の収納キャビネット内に設置する際に収納キャビネットの化粧板を回避して濾過カートリッジの取り付け・取り外しが可能な取付構造を提供することを解決課題としている。
【課題を解決するための手段】
【００１２】
本発明は、流し台の下部を構成する収納キャビネットにアンダーシンク型浄水器を取り付ける取付構造であって、収納キャビネットの内面には前記浄水器の濾過体を取り付ける取付部材が設けられている一方、前記濾過体は前記取付部材の上下方向に形成された孔部に係止する係止部を備え、前記係止部を前記孔部の下端側から挿通して上端側に係止させて濾過体を収納キャビネットに着脱自在に取り付けることを特徴としている。
【００１３】
本発明の一態様は、前記取付部材には複数の前記孔部が形成されている一方、前記濾過体は濾過カートリッジの外周に複数の前記係止部を設けて構成されている。
【００１４】
本発明の他の態様は、前記取付部材には複数の前記孔部が形成されている一方、前記濾過体は濾過カートリッジをケース内に着脱自在に収容して構成され、前記ケースの外周に複数の前記係止部が設けられている。
【００１５】
この浄水器では前記濾過カートリッジには水道配管の原水を導入する管と、濾過された浄水を導出する管とが連結される。ここでは前記ケースを筒状に形成し、一方の端部に前記両管を案内する回転自在のロールを設けることが好ましい。また、前記ケースの前記ロールと反対側の端部に前記濾過カートリッジを規制するストッパを設けてもよい。
【００１６】
なお、前記孔部は、上下方向に形成された長孔と、該長孔の上端側から左右方向のいずれか一方向に連通形成されて前記係止部が係止する係止孔と、前記長孔の下端側から左右方向のいずれか一方向に連通形成されて前記係止部が挿通される挿通孔と、を有する構成としてもよい。
【発明の効果】
【００１７】
本発明によれば、引き出しタイプの流し台の収納キャビネット内にアンダーシンク型浄水器を設置する際に収納キャビネットの化粧板を回避して濾過カートリッジの取り付け・取り外しが可能となる。
【図面の簡単な説明】
【００１８】
【図１】本発明が適用される流し台の一例を示す斜視図。
【図２】本発明の第１実施形態に係る取付構造を示す図１のＡ−Ａ縦断面図。
【図３】同  取付部材の斜視図。
【図４】同  収納ケースの斜視図。
【図５】（ａ）はカートリッジ取付部の斜視図、（ｂ）は同縦断面図、（ｃ）はカートリッジ側取付部の斜視図、（ｄ）は同縦断面図
【図６】（ａ）は濾過カートリッジのカートリッジ取付部への取付前の状態を示す縦断面図、（ｂ）は濾過カートリッジのカートリッジ取付部への取付後の状態を示す縦断面図。
【図７】同  濾過カートリッジを収容するケースの取付板への取付図。
【図８】本発明の第２実施形態に係る取付構造の濾過カートリッジの取付板への取付図。
【発明を実施するための形態】
【００１９】
以下、本発明の実施形態に係るアンダーシンク型浄水器の取付構造を説明する。ここでは流し台の下部の収納キャビネット内にアンダーシンク型浄水器を取り付ける取付構造を説明する。
【００２０】
図１に基づき前記浄水器を取り付ける流し台の一例を説明する。この流し台１は、下部の収納スペースが引き出しタイプの収納キャビネット２で構成されている。ここでは図１中の３ａ，３ｂは引き出しを示し、４ａ，４ｂは引き出し３ａ，３ｂの取っ手を示し、５は収納キャビネット２の天板部を示し、６は流し台１のシンクを示し、７はシンク６の部位に応じた正面位置の化粧板（当て板）を示し、８，４０は収納キャビネット２の側板を示している。
【００２１】
また、流し台１の天板部５上には水栓１１が設けられている。この水栓１１は、操作レバー１２と切替レバー１３と蛇口１４とを備えている。この切替レバー１３が「原水」の位置に設定されれば、操作レバー１２の操作により図示省略の水道配管から送られてきた原水が蛇口１４から吐出される。一方、切替レバー１３が「浄水」の位置に設定されれば、前記水道配管から送られてきた原水は図省略の原水導入管を通じて前記浄水器で濾過されて浄水化され、図示省略の浄水導出管を通じて蛇口１４から吐出される。
【００２２】
ここでは前記浄水器は、収納キャビネット２内のシンク６脇のデットスペースＴ、即ち収納キャビネット２内におけるシンク６と側板８との間の空間に配置されている。このときデットスペースＴの側板８の内面には前記浄水器を取り付けるための取付部材１０がねじ止めなどの手段で固定されている。
【００２３】
≪第１実施形態≫
（１）前記浄水器の構成等
図２〜図７に基づき第１実施形態に係る前記浄水器の取付構造を説明する。ここでは前記浄水器１５は、図２に示すように、取付部材１０に着脱自在に取り付けられている。
【００２４】
具体的には取付部材１０は、図３に示すように、長方形状に形成された一対の板状部１０ａと該板状部１０ａの縁部を連結する連結部１０ｂとを備え、内部に空洞１０ｃを有している。この各板状部１０ａには一対の孔部１７が平行に形成されている。この孔部１７の形状は両板状部１０ａ間で対称に形成され、前記各板状部１０ａの上下方向（図３のＰ´−Ｑ´方向）に沿って形成された長孔１８と、長孔１８の下端側から右方向（Ｘ´方向）に折れ曲がって連通形成された丸孔１９と、長孔１８の上端側から左方向（Ｙ´方向）に折れ曲がった後に下方向に傾斜して連通形成された四段の細孔２０とを有している。
【００２５】
前記浄水器１５は、図２に示すように、前記原水導入管から送られてきた原水を濾過して浄水化する円筒状の濾過カートリッジ２０と、濾過カートリッジ２０を着脱自在に収容するケース２１とを主体とする濾過体を備えている。
【００２６】
ケース２１は、図２および図４に示すように、角筒状に形成され、天板２７および底板２８の長手方向に沿って形成された一対のスリット２３と、左右の側板２４のそれぞれに固定された一対の係止ピン２５と、両側板２４の一方の側端間に回転自在に軸支されガイドロール２６と、底板２８の他方の側端を折り返して形成したストッパ片２９とを備え、両スリット２３にはカートリッジ取付部２２が収納キャビネット２内の前後方向（図２のＸ−Ｙ方向）にスライド自在に取り付けられている。
【００２７】
このカートリッジ取付部２２には濾過カートリッジ２０が取り付けられ、前記原水導入管と前記浄水導出管とを濾過カートリッジ２０に連結させている。ここでは前記取付部２２は、図５（ａ）（ｂ）に示すように、断面コ字状に形成され、前記浄水導出管と連結される中央の浄水出口３１と、浄水出口３１の外周側に形成されて前記原水導入管と連結される原水入口３２と、周壁３３の内周に周設された雌ねじ部３３ａと、周壁３３の上端内周に固着された円環状のパッキン３３ｂと、前記両スリット２３に前記取付部２３をスライド自在に取り付ける上下一対の取付ピン３０（図５では取付ピン３０は省略されているため、図２および図７を参照）とを備えている。この取付ピン３０は、水圧による前記原水導入管および前記浄水導出管の捩れに対して前記取付部２２の姿勢を保持させ、濾過カートリッジ２０の取り付けの緩みなどを防止する役割も果している。
【００２８】
濾過カートリッジ２０は、図６のハウジング３４内に粒状活性炭や繊維状活性炭などの濾材３５を充填して構成され、ハウジング３４の一端部には前記取付部２２に螺設されるカートリッジ側取付部３４ａを有している。この取付部３４ａは、図５（ｃ）（ｄ）に示すように、浄水出口３１にジョイント３６ａを挿入して浄水出口３１と連通するカートリッジ側浄水出口３６と、ジョイント３６ａの外周に固着されたパッキン３７と、原水入口３２から原水を導入する複数のカートリッジ側原水入口３７ａと、雄ねじ部３３ａに螺合する雄ねじ部３４ｂとを備えている。
【００２９】
したがって、濾過カートリッジ２０は、図６（ａ）に示すように、浄水出口３１にジョイント３６ａを対向させて一方向に回転させれば、図６（ｂ）に示すように、雄ねじ部３３ａが雌ねじ部３３ａに螺合して前記取付部２２に取り付けられてケース２１内に収容される。これにより浄水出口３１にジョイント３６ａが挿入されて前記浄水出口３１に前記浄水導出管が連結される一方、原水入口３７ａに前記原水導入管が連結されて原水入口３７ａに前記原水入口３２からの原水の導入が可能となっている。
【００３０】
この濾過カートリッジ２０が収容されたケース２１（以下、ケース２１と省略する。）は、その一方の側板２４の両係止ピン２５を両孔部１７に係止させて取付部材１０に取り付けられる。すなわち、図７に示すように、側板２４の両係止ピン２５の間隔Ｌ１は両孔部１７間の間隔Ｌ２と等しく設定され、各係止ピン２５は頭部２５ａと軸部２５ｂとを備え、軸部２５ｂが側板２４にねじ止めされている。この頭部２５ａの直径は、丸孔１９の直径よりも小さく設定され、長孔１８および細孔２０の幅よりも大きく設定されている。
【００３１】
したがって、ケース２１を取付部材１０に取り付ける際には、まず図７の矢印Ｓ１に示すように、一方の側板２４の両係止ピン２５を対向する前記板材の丸孔１９に挿通する。このときケース２１は、図２に示すように、化粧板７の下側に配置される。
【００３２】
つぎにケース２１をＹ方向（収納キャビネット２の奥行方向）に押して、両係止ピン２５を長孔１８内に移動させてケース２１を化粧板７の内側に配置する。この状態のままケース２１を持ち上げて、図７の矢印Ｓ２に示すように、両係止ピン２５の軸部２５ｂを長孔１８に沿って上昇させ、ケース２１を収納キャビネット２１のデットスペースＴに配置させる。
【００３３】
さらに任意の細孔２０を選択してケース２１をＹ方向に押して、係止ピン２５の軸部２５ｂを選択された細孔２０内に入り込ませる。このとき頭部２５ａは、対向する前記板材の細孔２０の内周縁に係止される。これにより濾過カートリッジ２０が、図２の破線に示すように、デットスペースＴの奥に配置され、収納キャビネット２内のスペースを有効利用することができる。
【００３４】
このときケース２１は、両係止ピン２５を丸孔１９に挿通した後に各孔１８，２０に沿って移動させるだけで収納キャビネット２の化粧板（当て板）７を回避してデットスペースＴに簡単に取り付けることができ、取付の作業性がよい。
【００３５】
また、取付部材１０は各細孔２０の高さが相違するため、ユーザは任意の高さに調整しながらケース２１を取付部材１０に取り付けることができる。さらに細孔２０が下方向Ｑに若干傾斜しているため、振動などで長孔１８側に戻りに難く、またストッパ片２９により濾過カートリッジ２０が規制され、その脱落などが防止できる。なお、ケース２１の他方の両係止ピン２５を用いて濾過カートリッジ２０を取付部材１０に取り付けてもよい。
【００３６】
（２）濾過カートリッジ２０の交換手順
濾過カートリッジ２０の交換は、（Ａ）濾過カートリッジ２０が収容されたケース２１（ここでもケース２１と省略する。）を取付部材１０から取り外す作業と、（Ｂ）交換後の濾過カートリッジ２０を収容したケース２１を取付部材１０に取り付ける作業とを行う。この作業（Ｂ）は前記取付作業と同一なので説明を省略する。ここでは主に取り外し作業（Ａ）を説明する。
【００３７】
この作業（Ａ）に際しては、まずケース２１を手前（図２のＸ方向）に引いて、係止ピン２５の軸部２５ｂを長孔１８に入り込ませる。この段階ではケース２１は化粧板７の内側に位置する。
【００３８】
つぎにケース２１を下ろして、係止ピン２５の軸部２５ｂを長孔１８に沿って降下させ、ケース２１を化粧板７よりも下方に配置させる。その後にケース２１を手前に引いて、係止ピン２５の軸部２５ｂを丸孔１９に入り込ませる。この状態のまま濾過カートリッジ２０をＸ方向に引いて取り外す。
【００３９】
このとき前記取付部２２がＸ方向にスライド移動するものの、ガイドロール２６の回転により前記浄水導出管および前記原水導入管が滑らかに案内され、その折れ曲がりや抜けなどが防止される。具体的には濾過カートリッジ２０は、他方向に回転させて雄ねじ部３３ａと雌ねじ部３４ｂとの螺合を解除すれば、前記取付部２２から容易に取り外すことができる。
【００４０】
したがって、前記浄水器１５の取付構造によれば、両係止ピン２５を各孔１８〜２０に沿って取付時と反対方向に移動させれば、化粧板７を回避して濾過カートリッジ２０を簡単に取り外すことができ、この意味で濾過カートリッジ２０の交換作業の作業性を向上させることができる。
【００４１】
この取り外し後に交換された新規の濾過カートリッジ２０をケース２１（ここではケース２１自体を意味する。）に収容させる。この場合には、まず前記取付部２２を手前のＸ方向に移動させ、前記取付部２２を押さえた状態で濾過カートリッジ２０を一方向に回転させて雄ねじ部３３ａを雌ねじ部３３ａに螺合させて前記取付部２２に取り付ける。
【００４２】
その後に作業（Ｂ）を行って濾過カートリッジ２０の交換を完了する。この作業（Ｂ）は、前述のように収納キャビネット２の化粧板７を回避してデットスペースＴに簡単に取付可能なため、この点でも交換作業が容易となる。
【００４３】
≪第２実施形態≫
図８に基づき第２実施形態に係る前記浄水器の取付構造を説明する。ここではケース２１は廃止され、濾過カートリッジ２０のハウジング３４の外周に一対の係止ピン２５をねじ止めして濾過体を構成している。この濾過カートリッジ２０の前記取付部３４ａには前記取付部２２が螺設されている。
【００４４】
したがって、濾過カートリッジ２０の取付部材１０への取り付けに際しては、第１実施形態と同様に両係止ピン２５を丸孔１９に挿通した後に各孔１８，２０に沿って移動させるだけで化粧板（当て板）７を回避してデットスペースＴに簡単に取り付けることができる。
【００４５】
また、濾過カートリッジ２０の交換時の取り外し作業も、両係止ピン２５を各孔１８〜２０に沿って取付時と反対方向に移動させるだけで化粧板７を回避して簡単に取り外すことができる。これにより第１実施形態と同様な効果を部品点数の少ない取付構造で実現することができる。
【００４６】
なお、本発明は上記実施形態に限定されるものではなく、各請求項に記載された範囲内で変更して実施することができる。例えば取付部材１０は収納キャビネット２の側板８，４０だけではなく、後板４１の内面に取り付けることもできる。
【００４７】
この場合に濾過カートリッジ２０はデットスペースＴ内に配置されるため、特許文献１のように収納スペースを小さくするおそれはなく、また引き出し３ａ，３ｂの出し入れの障害とはならない。
【符号の説明】
【００４８】
１…流し台
２…収納キャビネット
１５…アンダーシンク型浄水器
８，４０…側板
１０…取付部材
１７…孔部
１８…長孔
１９…丸孔（挿通孔）
２０…細孔（係止孔）
２１…ケース
２５…係止ピン（係止部）
２６…ガイドロール
２９…ストッパ片（ストッパ）
【図１】
2015085223.tif 000003
【図２】
2015085223.tif 000004
【図３】
2015085223.tif 000005
【図４】
2015085223.tif 000006
【図５】
2015085223.tif 000007
【図６】
2015085223.tif 000008
【図７】
2015085223.tif 000009
【図８】
2015085223.tif 000010